(57)【要約】      （修正有）【課題】コンクリートブロックの建て込みと浅い掘削を１段つづ交互に繰り返すことで、浄化槽の埋設深さが深くても土砂崩れなく建て込め、しかも小型のクレーンを用いて小スペースで作業できる浄化槽保護用コンクリート体を提供する。【解決手段】浄化槽を保護する箱型のコンクリート体を前後方向又は左右方向あるいは前後左右両方向に分割して複数のコンクリートブロックを製作し、これらを設置現場の掘削穴にて互いに連結して複数段に段積みして所定高さに構築される浄化槽保護用コンクリート体の構造とする。前記各段のコンクリートブロックは、コーナー部となるコ字状の対向して配置される２体のコーナーブロック１と、対向した同コーナーブロックの間に配置して前後又は左右の側壁の長さを変更する同じ長さの２体の板状の中間ブロック２とで構成する。【選択図】図１
0003183291.tif 000002
【実用新案登録請求の範囲】
【請求項１】
浄化槽を保護する箱型のコンクリート体を前後方向又は左右方向あるいは前後左右両方向に分割して複数のコンクリートブロックを製作し、これらを設置現場の掘削穴にて互いに連結して複数段に段積みして所定高さに構築される浄化槽保護用コンクリート体の構造において、前記各段のコンクリートブロックは、コーナー部となる４体のコーナーブロックと、前後又は左右のコーナーブロック間に配置して側壁の長さを変更する同じ長さの２体の板状の中間ブロックで構成したことを特徴とする、浄化槽保護用コンクリート体の構造。
【請求項２】
隣接するコンクリートブロックの側端部を互いが嵌合できる凹凸状又は円弧状に形成した、請求項１記載の浄化槽保護用コンクリート体の構造。
【請求項３】
隣接する前後又は左右のコンクリートブロック間の継ぎ目の位置を千鳥状にずらした、請求項１又は２記載の浄化槽保護用コンクリート体の構造。
【考案の詳細な説明】
【技術分野】
【０００１】
本考案は、地中に埋設する浄化槽を土圧や地下水圧から保護する保護用コンクリート体の構造に関する。
【背景技術】
【０００２】
従来においては、保護用コンクリート体を予め工場で複数のコンクリートブロックに分割して製作し、これらを設置現場に搬入して組み立て、その組み立てた保護用コンクリート体を掘削穴にクレーン等で吊り下げて設置している（例えば特許文献１参照）。しかし、浄化槽の埋設深さまで掘削を完了した後に設置するから、掘削穴が深い場合は設置するまでに掘削穴の側壁が土砂崩れする危険があり、大型のクレーンや広い作業スペースも必要であった。
【０００３】
この問題に対し、出願人は、コンクリートブロックの建て込みと浅い掘削を１段つづ交互に繰り返すことで、浄化槽の埋設深さが深くても土砂崩れなく建て込め、しかも小型のクレーンを用いて小スペースで作業できる技術を発明した（特許文献２参照）。しかし、この技術では、浄化槽の寸法に応じたコンクリートブロック（断面Ｌ字状のコーナーブロック）をその都度製作するものであるから、５人槽や７人槽等の寸法の異なる浄化槽を取り扱う場合はやや高コストとなることがあった。
【先行技術文献】
【特許文献】
【０００４】
【特許文献１】特開２００１−１９３１４６号公報
【特許文献２】特開２０１１−２３６６６６号公報
【考案の概要】
【考案が解決しようとする課題】
【０００５】
本考案が解決しようとする課題は、従来のこれらの問題点を解消し、浄化槽の寸法に応じた大きさの保護用コンクリート体をコスト上昇を抑えながら構築できるようにすることにある。
【課題を解決するための手段】
【０００６】
かかる課題を解決した本考案の構成は、
１）  浄化槽を保護する箱型のコンクリート体を前後方向又は左右方向あるいは前後左右両方向に分割して複数のコンクリートブロックを製作し、これらを設置現場の掘削穴にて互いに連結して複数段に段積みして所定高さに構築される浄化槽保護用コンクリート体の構造において、前記各段のコンクリートブロックは、コーナー部となる４体のコーナーブロックと、前後又は左右のコーナーブロック間に配置して側壁の長さを変更する同じ長さの２体の板状の中間ブロックで構成したことを特徴とする、浄化槽保護用コンクリート体の構造
２）  隣接するコンクリートブロックの側端部を互いが嵌合できる凹凸状又は円弧状に形成した、前記１）記載の浄化槽保護用コンクリート体の構造
３）  隣接する前後又は左右のコンクリートブロック間の継ぎ目の位置を千鳥状にずらした、前記１）又は２）記載の浄化槽保護用コンクリート体の構造
にある。
【考案の効果】
【０００７】
本考案によれば、浄化槽が大型の場合は、前後又は左右のコーナーブロック間に中間ブロックを配置して側壁の長さを変更する。浄化槽が小型の場合は、中間ブロックを省略してコーナーブロックのみで保護用コンクリート体を構築する。このように、浄化槽の大きさに応じてコーナーブロックをその都度製作する必要がなく、平面的な形状の中間ブロックを追加するだけで、様々な大きさの保護用コンクリート体をコスト上昇を抑えながら構築できるようになる。
【図面の簡単な説明】
【０００８】
【図１】実施例の上段用のコンクリートブロックの斜視図である。
【図２】実施例の下段用のコンクリートブロックの斜視図である。
【図３】実施例のアンカーの説明図である。
【図４】実施例の保護用コンクリート体の構築を示す説明図である。
【図５】実施例の保護用コンクリート体の構築を示す説明図である。
【図６】実施例の保護用コンクリート体の構築を示す説明図である。
【図７】実施例の保護用コンクリート体の構築と浄化槽の埋設を示す説明図である。
【図８】実施例の７人槽用の保護用コンクリート体の斜視図である。
【図９】実施例の５人槽用の保護用コンクリート体の斜視図である。
【図１０】実施例のコーナーブロックと中間ブロックの接合部の形状を示す説明図である。
【考案を実施するための形態】
【０００９】
以下、本考案を実施するための形態を実施例と図面に基づいて具体的に説明する。
【実施例】
【００１０】
本実施例のコンクリートブロックを図１〜３に示す。コーナーブロック１は長い辺と短い辺を有する断面略コ字状で、中間ブロック２は板状で、それぞれの側端に凹凸状の接合部１ａ，２ａを形成している。上段用の上端にはアイボルト３を螺合及び鉄筋（図示は省略）を挿入できるアンカー１ｂ，２ｂを２０ｃｍピッチで埋設し、下段用の上端にはアイボルト３を螺合できるアンカー１ｂ，２ｂを埋設し、下段用の内面下部には鉄筋（図示は省略）を挿入できるアンカー１ｂ，２ｂを２０ｃｍピッチで埋設している。コーナーブロック１は、上段用と下段用で長さの違う左右辺が反対となっている。
【００１１】
以下、本実施例の保護用コンクリート体の構築と浄化槽１０の埋設を図４〜７に基づいて説明する。まず、図４（ａ）に示すように、地盤Ｇを油圧ショベルでコーナーブロック１の高さと同じ深さに且つ保護用コンクリート体の前後左右と同じ寸法に掘削する。このとき、掘削の深さは構築しようとする保護用コンクリート体の高さの１／２で済むから、掘削穴Ｇａの側壁は土砂崩れし難く、安全に作業できる。
【００１２】
次に、図４（ｂ）に示すように、下段用のコーナーブロック１と中間ブロック２のアンカー１ｂ，２ｂにアイボルト３を螺合し、そのアイボルト３にロープ４のフックを引っ掛けてクレーンで吊り下げる。まず、一方のコーナーブロック１を掘削穴Ｇａ内に先に建て込み、その後中間ブロック２と他方のコーナーブロック１を接合部１ａ，２ａで嵌合させながら順に建て込む。このとき、コーナーブロック１は長手方向・高さ方向に分割されたものであるから、クレーンは比較的小型のもので済み、大きく旋回する必要もないから小スペースで作業できる。また、接合部１ａ，２ａ同士を嵌合させるから、建て込み時に位置がずれることがなく、作業が容易となる。
【００１３】
次に、図５（ａ）に示すように、建て込んだコーナーブロック１と中間ブロック２を細長い接続プレート５でボルト締めにより連結し、続いてコーナーブロック１と中間ブロック２で囲まれた内側領域の下方とその建て込み済みのコーナーブロック１と中間ブロック２の直下の地盤Ｇをコーナーブロック１の高さと同じ深さに掘削する。コーナーブロック１と中間ブロック２の直下の地盤Ｇを油圧ショベルで掘削し難い場合は、人力による掘削を併用してもよい。このとき、建て込み済みのコーナーブロック１と中間ブロック２は、掘削中に誤って掘削箇所に落下しないようにクレーンでそのまま吊り下げておく。
【００１４】
次に、図５（ｂ）に示すように、その掘削箇所に建て込み済みのコーナーブロック１と中間ブロック２をクレーンで吊り下げた状態で落とし込む。
【００１５】
次に、図６（ａ）に示すように、落とし込まれたコーナーブロック１と中間ブロック２からアイボルト３を取り外し、上端に水密及び接着用のセメント用ボンド６を塗布する。そして、上段用のコーナーブロック１と中間ブロック２のアンカー１ｂ，２ｂにアイボルト３を螺合し、そのアイボルト３にロープ４のフックを引っ掛けてクレーンで吊り下げる。これを落とし込まれたコーナーブロック１と中間ブロック２の上端に建て込んで接着する。
【００１６】
図６（ｂ）に示すように、建て込んだコーナーブロック１と中間ブロック２を接続プレート５で連結する。また、上下のコーナーブロック１同士も接続プレート５で連結する。このとき、上段と下段ではブロック間の継ぎ目の位置がずれて千鳥状になっており、強固な構造となる。
【００１７】
建て込みが完了すると、図７（ａ）に示すように、内底に栗石７を敷設して地盤Ｇの凹凸を均し、鉄筋（図示は省略）を下段用のコーナーブロック１と中間ブロック２の内面のアンカー１ｂ，２ｂに螺合して栗石７の上面に配筋し、コンクリート８を平滑に打設する。そのコンクリート８の上面に工場で予め製作して搬入した基礎コンクリートブロック９をクレーンで吊り下げて据え付け、浄化槽１０を設置するための下地を形成する。コンクリート８は、地表が駐車場など重耐仕様の場合は、鉄筋を配筋して強度を保持する。
【００１８】
そして、基礎コンクリートブロック９の上面にＦＲＰ（繊維強化プラスチック）製の浄化槽１０を設置して水平に固定し、その浄化槽１０に水張りして漏水の有無を確認する。漏水の無いことが確認されると、図７（ｂ）に示すように、浄化槽１０の周囲の空間に埋め戻し材１１を充填し、鉄筋（図示は省略）を上段用のコーナーブロック１と中間ブロック２の上端のアンカー１ｂ，２ｂに螺合して埋め戻し材１１の上面に配筋し、コンクリート１２を打設して表面を仕上げる。
【００１９】
図８に示す保護用コンクリート体は、前後のコーナーブロック１間に中間ブロック２を配置して側壁の長さを延長した７人槽用である。１０人槽や１２人槽など浄化槽１０がさらに大型の場合は、中間ブロック２を追加して側壁の長さを延長する。図９に示す保護用コンクリート体は、中間ブロック２を省略してコーナーブロック１のみで構成した５人槽用である。図中、５ａはコンクリート板である。７人槽を含むそれ以上の大きさは、５人槽を基準として中間ブロック２の追加で調整する。
【００２０】
コーナーブロック１と中間ブロック２の接合部１ａ，２ａの形状は、図１０（ａ）〜（ｃ）に示すように、凹凸状や円弧状など様々な形状が採用でき、図１０（ｄ）に示すように、接合部１ａ，２ａの代わりに切欠き１ｃ，２ｃを形成し、その切欠き１ｃ，２ｃに薄いコンクリート板５ａを接着して接続することもでき、さらに、図１０（ｅ）に示すように、接合部１ａ，２ａを形成せずに平坦な形状の面を突き合わせて建て込む場合もある。
【００２１】
このように、本実施例によれば、浄化槽１０の寸法に応じて高コストのコーナーブロック１をその都度製作する必要がなく、平面的な形状の中間ブロック２を追加するだけで、様々な大きさの保護用コンクリート体をコスト上昇を抑えながら構築できる。
【産業上の利用可能性】
【００２２】
本考案の技術は、一般住宅など大型のクレーンが搬入し難い場所や作業スペースが確保し難い場所の構築に有用である。
【符号の説明】
【００２３】
１    コーナーブロック
１ａ  接合部
１ｂ  アンカー
１ｃ  切欠き
２    中間ブロック
２ａ  接合部
２ｂ  アンカー
２ｃ  切欠き
３    アイボルト
４    ロープ
５    接続プレート
５ａ  コンクリート板
６    セメント用ボンド
７    栗石
８    コンクリート
９    基礎コンクリートブロック
１０  浄化槽
１１  埋め戻し材
１２  コンクリート
Ｇ    地盤
Ｇａ  掘削穴
【図１】
0003183291.tif 000003
【図２】
0003183291.tif 000004
【図３】
0003183291.tif 000005
【図４】
0003183291.tif 000006
【図５】
0003183291.tif 000007
【図６】
0003183291.tif 000008
【図７】
0003183291.tif 000009
【図８】
0003183291.tif 000010
【図９】
0003183291.tif 000011
【図１０】
0003183291.tif 000012
【手続補正書】
【提出日】平成25年3月4日(2013.3.4)
【手続補正１】
【補正対象書類名】実用新案登録請求の範囲
【補正対象項目名】全文
【補正方法】変更
【補正の内容】
【実用新案登録請求の範囲】
【請求項１】
浄化槽を保護する箱型のコンクリート体を前後方向又は左右方向あるいは前後左右両方向に分割して複数のコンクリートブロックを製作し、これらを設置現場の掘削穴にて互いに連結して複数段に段積みして所定高さに構築される浄化槽保護用コンクリート体の構造において、前記各段のコンクリートブロックは、コーナー部となるコ字状の対向して配置される２体のコーナーブロックと、対向した同コーナーブロックの間に配置して前後又は左右の側壁の長さを変更する同じ長さの２体の板状の中間ブロックとで構成したことを特徴とする、浄化槽保護用コンクリート体の構造。
【請求項２】
隣接するコンクリートブロックの側端部を互いが嵌合できる凹凸状又は円弧状に形成した、請求項１記載の浄化槽保護用コンクリート体の構造。
【請求項３】
隣接する前後又は左右のコンクリートブロック間の継ぎ目の位置を上段と下段のコンクリートブロックとの間で千鳥状にずらした、請求項１又は２記載の浄化槽保護用コンクリート体の構造。
【手続補正２】
【補正対象書類名】明細書
【補正対象項目名】０００６
【補正方法】変更
【補正の内容】
【０００６】
かかる課題を解決した本考案の構成は、
１）  浄化槽を保護する箱型のコンクリート体を前後方向又は左右方向あるいは前後左右両方向に分割して複数のコンクリートブロックを製作し、これらを設置現場の掘削穴にて互いに連結して複数段に段積みして所定高さに構築される浄化槽保護用コンクリート体の構造において、前記各段のコンクリートブロックは、コーナー部となるコ字状の対向して配置される２体のコーナーブロックと、対向した同コーナーブロックの間に配置して前後又は左右の側壁の長さを変更する同じ長さの２体の板状の中間ブロックとで構成したことを特徴とする、浄化槽保護用コンクリート体の構造
２）  隣接するコンクリートブロックの側端部を互いが嵌合できる凹凸状又は円弧状に形成した、前記１）記載の浄化槽保護用コンクリート体の構造
３）  隣接する前後又は左右のコンクリートブロック間の継ぎ目の位置を上段と下段のコンクリートブロックとの間で千鳥状にずらした、前記１）又は２）記載の浄化槽保護用コンクリート体の構造
にある。